(57)【要約】【課題】            蓄光塗料を塗布・乾燥する工程を必要とせずとも、蓄光材料を使用し、消灯後の安全性を高め装飾的な効果が得られるランプ及び照明器具を提供する。【解決手段】        蓄光材料を含んだパッキン１４を筐体の側壁２と透光性カバー１１の間に設置する。蓄光材料を含んだパッキンを筺体と透光性カバーの間に挟み込むだけなので、蓄光塗料を使用した場合のように、蓄光塗料を塗布・乾燥する工程を必要としない。また、ランプの消灯後にはパッキンの形に発光が持続するため、ランプを視認でき安全性が高められ、また装飾的な効果も得られる。【選択図】          図２
2014056740.tif 000002
【特許請求の範囲】
【請求項１】
光源を備えた筐体と前記筐体に取り付けられた透光性カバーを有するランプであり、前記筺体と前記透光性カバーの間には蓄光材料を含んだパッキンが設置してあることを特徴とするランプ。
【請求項２】
前記光源が発光ダイオードであることを特徴とする請求項１記載のランプ。
【請求項３】
前記光源の発光色と前記蓄光材料の発光色が異なることを特徴とする請求項２記載のランプ。
【請求項４】
前記パッキンはシリコン製であることを特徴とする請求項３記載のランプ。
【請求項５】
内部にランプを保持する器具本体と前記器具本体に取り付けられた透光性カバーを有する照明器具であり、前記器具本体と前記透光性カバーの間には蓄光材料を含んだパッキンが設置してあることを特徴とする照明器具。
【発明の詳細な説明】
【技術分野】
【０００１】
本発明は、光源からの光を受けることにより発光する蓄光材料を含んだＯリングを使用したランプに関する。
【背景技術】
【０００２】
近年、白熱電球の代替となる電球形ＬＥＤランプが普及してきている。
またＬＥＤの高出力化に伴い、屋外で使用される看板照明などにもＬＥＤランプが使われるようになり、防水性能を向上させたＬＥＤランプが開発されている（特許文献１）。
また、ランプや照明器具の一部に蓄光材料を塗布し、光源からの光により蓄光材料を塗布した部分が発光するランプや照明器具が提案されている（特許文献２・特許文献３）。
これらのランプでは、蓄光材料を塗布した部分が消灯後に発光することにより、適度な照度を得て停電時などの安全性を高めることができ、また蓄光材料を塗布した部分がそのままの形状で強調されて発光するため装飾的な効果も得ることができる。
【先行技術文献】
【特許文献】
【０００３】
【特許文献１】特開２０１２−１１９２８３号公報
【特許文献２】実用新案登録第３０４０８３９号公報
【特許文献３】特開２００５−２９４０５０号公報
【発明の概要】
【発明が解決しようとする課題】
【０００４】
一般的に、蓄光材料を使用するためには、ランプや照明器具の一部に蓄光塗料と塗布する方法が採られているため、蓄光塗料を塗布・乾燥する工程が必要となる。
本発明は蓄光塗料を塗布・乾燥する工程を必要とせず、ランプや照明器具に蓄光材料を使用することができ、蓄光材料の発光による安全性の向上や装飾的な効果を得ることを目的とする。
【課題を解決するための手段】
【０００５】
本発明に係るランプは、光源を備えた筐体に取り付けられた透光性カバーを有するランプであり、前記筺体と前記透光性カバーの間には蓄光材料を含んだパッキンが設置してあることを特徴とする。
更に、上記ランプでは、前記光源が発光ダイオードであってもよい。
更に、上記ランプでは、前記光源の発光色と前記蓄光材料の発光色が異なってもよい。
更に、上記ランプでは、前記パッキンはシリコン製であってもよい。
また、本発明に係る照明器具は、内部にランプを保持する器具本体と前記器具本体に取り付けられた透光性カバーを有する照明器具であり、前記器具本体と前記透光性カバーの間には蓄光材料を含んだパッキンが設置してあることを特徴とする。
【発明の効果】
【０００６】
本発明によれば、蓄光材料を含んだパッキンを使用しているので、防水性能を向上させることが可能となる。
また、このパッキンが消灯後発光することにより、安全性を高めることが可能になると共に、装飾的な効果を得ることができる。
また、ランプや照明器具に蓄光材料を含んだパッキンを設置するだけであるため、蓄光材料を使用するために蓄光塗料を塗布・乾燥させる工程を必要としない。
【図面の簡単な説明】
【０００７】
【図１】本発明に係るＬＥＤランプの内部構造を示す断面図である。
【図２】図１におけるパッキン近傍の拡大図である。
【発明を実施するための形態】
【０００８】
以下、本発明に係るランプの実施形態について図面を参照しながら説明する。なお、図中の同じ要素に対しては同じ符号を付して、重複する説明を省略する。
【０００９】
図１は本発明に係るＬＥＤランプの内部構造を示す断面図である。
ＬＥＤランプ１は屋外の看板照明等に使用されるＬＥＤランプである。
側壁２、ベース板３、放熱フィン４、胴体部５からなる筺体６を備えている。
複数のＬＥＤ素子７が設けられたＬＥＤ基板８は、ベース板３にネジ止めにより固定されており、ベース板３のＬＥＤ基板８が設置された反対側の面にはベース板３と一体的に形成された放熱フィン４が形成されており、ＬＥＤ素子７からの熱を放熱する構造となっている。
また、ベース板３の中央部には筒状の胴体部５が一体的に形成されており、胴体部５の内部にはＬＥＤ素子を点灯させるための点灯回路９が絶縁シート１０を介して搭載されている。
またベース板３のＬＥＤ基板８を設置した面の外周部には、内部に側壁２が形成されており、側壁２の内周面にはＬＥＤ素子７を覆う透光性のカバー１１が螺合されている。
筒状の胴体部５には絶縁部材１２を介して口金１３が装着されており、口金１３から電力を点灯回路９に供給することによりＬＥＤランプ１を点灯する。
【００１０】
図２は図１における筐体６（側壁２）とカバー１１の接合部付近の拡大図であり、筐体６の側壁２とカバー１１の間には蓄光材料を含んだパッキン１４を備えている。パッキン１４は断面がＯ形状のＯリングであり、シリコン製である。
【００１１】
蓄光材料を含んだパッキン１４は、透光性のカバー１１を透過したＬＥＤ素子７からの光を受け、発光する。パッキン１４の発光はＬＥＤ素子７の発光に比べると微弱であるため、ＬＥＤランプ１点灯時にはランプの発光にほとんど影響を与えない。
ランプ消灯後、パッキン１４に含まれた蓄光材料は発光を続けるため、パッキン１４の形の発光が視認できる。このためランプ消灯後や停電時などにおいてもランプの存在を知ることができるため、安全性を高めることができる。
また、パッキン１４の形の発光が得られるため、消灯後の装飾的な効果を得ることができる。
【００１２】
また、ランプは一般的に白色（あるいは電球色）であるが、ランプの発光色と蓄光材料の発光色が異なることにより、より装飾的な効果を高めることができる。
また、青や緑に発光することにより暗所での視感度が高まり、消灯後などの暗所において小さな光であってもランプの視認性を高めることが可能となる。
【００１３】
また、筐体６へのカバー１１の取り付け方法は以下の通りである。
側壁２の内側のベース板３にはカバー１１の形状に対応した溝部１５が形成されており、この溝部１５にコーキング剤１６を塗布する。次にパッキン１４を側壁２に載せた状態でカバー１１を螺合させることにより固定をするので、蓄光材料を使用するために蓄光塗料を塗布・乾燥するなどの工程は必要としない。
このようにパッキン１４とコーキング剤１６を設けることにより、筺体６とカバー１１の間で防水することができる。
【００１４】
また、蓄光材料を含んだパッキンは照明器具にも使用することができる。
照明器具の器具本体と透光性カバーの間に蓄光材料を含んだパッキンを使用することにより、ランプと同様に、消灯後の安全性を高める効果と装飾的な効果を得ることができる。
【符号の説明】
【００１５】
１    ＬＥＤランプ
２    側壁
３    ベース板
４    放熱フィン
５    胴体部
６    筺体
７    ＬＥＤ素子
８    ＬＥＤ基板
９    点灯回路
１０  絶縁シート
１１  カバー
１２  絶縁部材
１３  口金
１４  パッキン
１５  溝部
１６  コーキング剤
【図１】
2014056740.tif 000003
【図２】
2014056740.tif 000004